(57)【要約】【課題】災害時などにおいて、長時間にわたって連続して使用した場合の使用者への負担を軽減し、かつ、エコノミークラス症候群を予防可能な靴下を提供する。【解決手段】足首部１２０から膝上部１６０に向かって印加する圧力を緩和する靴下１００であって、足首部１２０において３０〜３５ｈＰａ、脹脛下部１３０において２３〜２７ｈＰａ、脹脛部１４０において１４〜１６ｈＰａ、膝下部１５０において９〜１１ｈＰａ、膝上部１６０において７〜９ｈＰａの圧力を印加する靴下。【選択図】図１
2019127658.tif 000002
【特許請求の範囲】
【請求項１】
足首部から膝上部に向かって印加する圧力を緩和する靴下であって、
前記足首部において３０〜３５ｈＰａ、脹脛下部において２３〜２７ｈＰａ、脹脛部において１４〜１６ｈＰａ、膝下部において９〜１１ｈＰａ、前記膝上部において７〜９ｈＰａの圧力を印加する靴下。
【請求項２】
請求項１に記載の靴下において、
大腿部において１０〜１２ｈＰａの圧力を印加する靴下。
【請求項３】
請求項１に記載の靴下において、
前記足首部と前記脹脛部との間における圧力勾配は、前記脹脛部と前記膝下部との間における圧力勾配の１．２倍〜１．５倍の範囲である、靴下。
【請求項４】
請求項１に記載の靴下において、
前記脹脛部と前記膝下部との間における圧力勾配は、前記膝下部と前記膝上部との間の圧力勾配の１．１倍〜１．３倍の範囲である、靴下。
【請求項５】
請求項１に記載の靴下において、
前記膝下部と前記膝上部との間の圧力勾配は最も小さい第１の圧力勾配である、靴下。
【発明の詳細な説明】
【技術分野】
【０００１】
本発明は、靴下に関する。
【背景技術】
【０００２】
長時間脚を動かさないで乗り物に乗っていると、血流が阻害されてエコノミー症候群になりやすいことが知られている。また、心臓から一番離れた足は、引力や重力の影響から血液が滞りやすいことが知られている。そして、外側から圧力を加えることにより、
【０００３】
特開２００７−７５２３６号公報（特許文献１）には、「本発明の血流速促進弾性ストッキングは、脚の各部位毎に着圧を変化させ、着圧勾配を設けることによって下肢静脈にポンプ作用を与えるもので、基本的な設計は、足首に最も大きな着圧を与え、上部に向かうにつれて着圧を徐々に低下させていくというものである。着圧の大きさや勾配に関しては様々な理論が提唱されており、代表的なものでは足首部で１８ｍｍＨｇ、ふくらはぎ部で１４ｍｍＨｇ、大腿部で１０ｍｍＨｇとする」と記載されている。
【先行技術文献】
【特許文献】
【０００４】
【特許文献１】特開２００７−７５２３６号公報
【発明の概要】
【発明が解決しようとする課題】
【０００５】
特許文献１に記載されている技術では、脹脛部およびひざ部に印加される圧力が高く、例えば、災害時における長時間（２日〜１週間）で連続して使用する場合に、使用者への負担が大きいという問題があった。本発明の目的は、災害時などにおいて、長時間にわたって連続して使用した場合の使用者への負担を軽減し、かつ、エコノミークラス症候群を予防可能な靴下を実現することである。
【課題を解決するための手段】
【０００６】
本願において開示される発明のうち、代表的なものの概要を簡単に説明すれば、次の通りである。
【０００７】
本発明の一実施の形態の靴下は、足首部から膝上部に向かって印加する圧力を緩和する靴下であって、前記足首部において３０〜３５ｈＰａ、脹脛部において１２〜１７ｈＰａ、膝下部１５０において９〜１１ｈＰａ、前記膝上部１６０において７〜９ｈＰａの圧力を印加する。
【発明の効果】
【０００８】
本願において開示される発明のうち、代表的なものによって得られる効果を簡単に説明すれば以下のとおりである。
【０００９】
本発明の一実施の形態によれば、災害時などにおいて、長時間にわたって連続して使用した場合の使用者への負担を軽減し、かつ、エコノミークラス症候群を予防可能な靴下を実現できる。
【図面の簡単な説明】
【００１０】
【図１】本発明の一実施の形態における靴下の概要を示す図である。
【図２】本発明の一実施の形態における靴下の使用時の状態を示す図である。
【発明を実施するための形態】
【００１１】
以下、本発明の実施の形態を図面に基づいて詳細に説明する。なお、実施の形態を説明するための全図において、同一部には原則として同一の符号を付し、その繰り返しの説明は省略する。
図１は、本発明の一実施の形態における靴下の概要を示す図である。図２は、本発明の一実施の形態における靴下の使用時の状態を示す図である。
【００１２】
本発明の一実施の形態における靴下１００は、長尺状に形成され、足が挿入される足挿入部１８０（図２、ｇｍａｘ−ｇｍａｘ）と、大腿部１７０（図２、１ｍａｘ−１ｍａｘ）と、膝上部１６０（図２、ｅ−ｅ）と、膝下部１５０（図２、ｄ−ｄ）と、脹脛部１４０（図２、ｃ−ｃ）と、脹脛下部１３０（図２、ｂ１−ｂ１）と、足首部１２０（図２、ｂ−ｂ）と、つま先部１１０（図２、ａ−ａ）と、を有する。
【００１３】
靴下１００のつま先部１１０と、足挿入部１８０とはパイル編みで形成することで厚みを出して破れにくく構成されている。また、靴下１００のつま先部１１０および足挿入部１８０以外の他の部分は、インレイドホップサック編みで形成されている。
【００１４】
また、靴下１００のつま先部１１０から足挿入部１８０までの長さは、５０ｃｍ〜７０ｃｍである。また、靴下１００の足挿入部１８０は、ゴム糸などの弾性糸が編み込まれている。これによって、足挿入部１８０を容易に広げることが可能となっている。そして、広げられた状態で、脚挿入部１８０に足を挿入可能に構成されている。
【００１５】
より詳細には、靴下１００における締付圧力が測定される部位としては、図２に示されるように、靴下１００が装着された状態で、足首部１２０が足首に、脹脛下部１３０が脹脛下部に、脹脛部１４０が脹脛に、膝下部１５０が膝下に、膝上部１６０が膝上に、大腿部１７０が大腿にそれぞれ位置する。より詳細には、靴下１００が装着される前の状態で、足首部１２０がつま先部１１０から１２ｃｍの位置、脹脛下部１３０が足首部１２０から８ｃｍの位置、脹脛部１４０が脹脛下部１３０から１１ｃｍの位置、膝下部１５０が脹脛部１４０から８ｃｍの位置、膝上部１６０が膝下部１５０から６ｃｍの位置、大腿部１７０が膝上部１６０から１５ｃｍの位置に位置する。
【００１６】
また、使用（装着）される前の状態にて、靴下１００の形状は、つま先部１１０から脹脛下部１３０までの外周が第１の長さとなっており、脹脛部１４０の外周は第１の長さよりも長い第２の長さとなっており、膝下部１５０から膝上部１６０までの外周は第２の長さよりも長い第３の長さとなっており、大腿部１７０の外周および足挿入部１８０の外周は、第２の長さよりも長く第３の長さよりも短い第４の長さとなっている。
【００１７】
より詳細には、使用（装着）される前の状態にて、靴下１００のつま先部１１０の外周は１２ｃｍ〜１４ｃｍ（好適には１３ｃｍ）、足首部１２０の外周は１２ｃｍ〜１４ｃｍ（好適には１３ｃｍ）、脹脛下部１３０の外周は１２ｃｍ〜１４ｃｍ（好適には１３ｃｍ）、脹脛部１４０の外周は１５ｃｍ〜１７ｃｍ（好適には１６ｃｍ）、膝下部１５０から膝上部１６０までの外周は１６ｃｍ〜１８ｃｍ（好適には２０ｃｍ）、大腿部１７０の外周は１８ｃｍ〜２０ｃｍ（好適には１９ｃｍ）、足挿入部１８０の外周は１８ｃｍ〜２０ｃｍ（好適には１９ｃｍ）となっている。
【００１８】
靴下１００は、足首部１２０から膝上部１６０に向かって印加する圧力を緩和するように構成される。また、靴下１００は、大腿部１７０にて、膝上部１６０および膝下部１５０よりも大きく、脹脛部１４０よりも低い圧力を印加する。これによって、大腿部１７０に向かって上方に流れる血液が、大腿部１７０にて締め付けられる。そして、血液が、大腿部１７０よりも上方に流れやすくなり、血流の循環をさらに向上できる。また、靴下１００が大腿部１７０からずり落ちにくくなる。
【００１９】
また、靴下１００は、足首部１２０と、脹脛下部１３０と、脹脛部１４０と、膝下部１５０と、膝上部１６０と、大腿部１７０とのうち、膝上部１６０にて最も低い圧力を印加する。
【００２０】
具体的には、靴下１００は、足首部１２０において３０〜３５ｈＰａ（好適には３３．２ｈＰａ）、脹脛下部１３０において２３〜２７ｈＰａ（好適には２５．４ｈＰａ）、脹脛部１４０において１４〜１６ｈＰａ（好適には１５．３ｈＰａ）、膝下部１５０において９〜１１ｈＰａ（好適には９．６ｈＰａ）、膝上部１６０において７〜９ｈＰａ（好適には８．１ｈＰａ）、大腿部１７０において１０〜１２ｈＰａ（好適には１１．２ｈＰａ）の圧力を印加する。
【００２１】
また、靴下１００の足首部１２０と脹脛下部１３０との間の圧力勾配（圧力変化率）は、脹脛下部１３０と脹脛部１４０との間の圧力勾配よりも小さい。また、靴下１００の脹脛下部１３０と脹脛部１４０との間の圧力勾配は脹脛部１４０と膝下部１５０の間の圧力勾配よりも大きい（またはほぼ同一である）。また、靴下１００の脹脛部１４０と膝下部１５０の間の圧力勾配は、膝下部１５０と膝上部１６０との間の圧力勾配よりも大きい。また、膝下部１５０と膝上部１６０との間の圧力勾配は、膝上部１６０と大腿部１７０との間の圧力勾配よりも小さい。
【００２２】
より詳細には、靴下１００の膝下部１５０と膝上部１６０との間の圧力勾配は最も小さい第１の圧力勾配（好適には１．１８）であり、足首部１２０と脹脛下部１３０との間の圧力勾配は第１の圧力勾配よりも大きい第２の圧力勾配（好適には１．３０）であり、膝上部１６０と大腿部１７０との間の圧力勾配は第２の圧力勾配よりも大きい第３の圧力勾配（好適には１．３８）であり、脹脛部１４０と膝下部１５０の間の圧力勾配は第２の圧力勾配よりも大きい第３の圧力勾配（好適には１．５９）であり、は第３の圧力勾配よりも大きい第４の圧力勾配であり、脹脛下部１３０と脹脛部１４０との間の圧力勾配は第４の圧力勾配よりも大きい第５の圧力勾配（好適には１．６０）である。膝下部１５０と膝上部１６０との間の圧力勾配は最も小さい第１の圧力勾配（好適には１．１８）であることで、膝下部１５０または膝上部１６０のいずれか一方に偏って圧力が印加されにくくし、膝に過度な負担をかけることなく、むくみを防止する靴下１００を実現できる。特に、被災して仮設の避難所に避難している高齢女性の膝に過度な負担をかけることなく、むくみを防止できる。
【００２３】
そして、靴下１００の足首部１２０と脹脛下部１３０との間の圧力勾配（圧力変化率）は、脹脛下部１３０と脹脛部１４０との間の圧力勾配の半分以下である。また、靴下１００の脹脛下部１３０と脹脛部１４０との間の圧力勾配は脹脛部１４０と膝下部１５０の間の圧力勾配よりも大きい（またはほぼ同一である）。また、靴下１００の脹脛部１４０と膝下部１５０の間の圧力勾配は、膝下部１５０と膝上部１６０との間の圧力勾配の三倍以上である。また、膝下部１５０と膝上部１６０との間の圧力勾配は、膝上部１６０と大腿部１７０との間の圧力勾配の半分以下である。
【００２４】
また、靴下１００は、足首部１２０において３０〜３５ｈＰａ（好適には３３．２ｈＰａ）、脹脛部１４０において１４〜１６ｈＰａ（好適には１５．３ｈＰａ）、膝下部１５０において９〜１１ｈＰａ（好適には９．６ｈＰａ）、前記膝上部１６０において７〜９ｈＰａ（好適には８．１ｈＰａ）の圧力を印加するところ、足首部１２０と脹脛部１４０との間における圧力勾配（好適には２．１７）は、脹脛部１４０と膝下部１５０との間における圧力勾配（１．５９）の１．２倍〜１．５倍の範囲（好適には１．３６）である。また、脹脛部１４０と膝下部１５０との間における圧力勾配（好適には１．５９）が、膝下部１５０と膝上部１６０との間の圧力勾配の１．１倍〜１．３倍の範囲（好適には１．１８）である。
そして、靴下１００は、足首部１２０において高い着圧を有することにより、リンパの滞留を抑制できる。
【００２５】
また、靴下１００の足首部１２０と脹脛部１４０との間における圧力勾配は、脹脛部１４０と膝下部１５０との間における圧力勾配の１．２倍〜１．５倍の範囲である。つまり、足首部１２０から脹脛部１４０にかけて急速に印加圧力を弱めることで、過度に脹脛部１４０に負担をかけることを防止できる。そのため、リンパの滞留を防止してむくみを抑制しつつ、長時間使用しても脹脛部１４０が疲れない靴下１００を実現できる。
【００２６】
さらに、靴下１００は、脹脛部１４０と膝下部１５０との間における圧力勾配は、膝下部１５０と膝上部１６０との間の圧力勾配の１．１倍〜１．３倍の範囲である。つまり、膝付近における印加勾配を緩めることにより、膝に過度な負担をかけることなく、むくみを防止する靴下１００を実現できる。特に、被災して仮設の避難所に避難している高齢女性の膝に過度な負担をかけることなく、むくみを防止できる。
【００２７】
また、靴下１００の印加圧力の割合は、膝上部１６０を「１」とした場合、大腿部１７０において「１．３８」となり、膝下部１５０において「１．１８」となり、脹脛部１４０において「１．８８」となり、脹脛下部１３０において「３．１３」となり、足首部１２０において「３．４５」となる。
＜本実施の形態の効果＞
【００２８】
以上説明した本実施の形態における靴下１００によれば、足首部１２０から膝上部１６０に向かって印加する圧力を緩和し、足首部１２０において３０〜３５ｈＰａ、脹脛下部１３０において２３〜２７ｈＰａ、脹脛部１４０において１４〜１６ｈＰａ、膝下部１５０において９〜１１ｈＰａ、膝上部１６０において７〜９ｈＰａの圧力を印加することで、災害時などにおいて、長時間にわたって連続して使用した場合の使用者への負担を軽減し、かつ、エコノミークラス症候群を予防できる靴下１００を実現できる。
【００２９】
また、靴下１００の大腿部１７０において、膝上部１６０において７〜９ｈＰａよりも高い１０〜１２ｈＰａの圧力を印加することで、大腿部１７０に向かって上方に流れる血液が、大腿部１７０にて締め付けられる。そして、血液が、大腿部１７０よりも上方に流れやすくなり、血流の循環をさらに向上できる。また、靴下１００が大腿部１７０からずり落ちにくくなる。
【００３０】
また、靴下１００の足首部１２０と脹脛部１４０との間における圧力勾配は、脹脛部１４０と膝下部１５０との間における圧力勾配の１．２倍〜１．５倍の範囲であることで、足首部１２０から脹脛部１４０にかけて急速に印加圧力を弱めることで、過度に脹脛部１４０に負担をかけることを防止できる。そのため、リンパの滞留を防止してむくみを抑制しつつ、長時間使用しても脹脛部１４０が疲れない靴下１００を実現できる。
【００３１】
また、靴下１００の脹脛部１４０と膝下部１５０との間における圧力勾配は、膝下部１５０と膝上部１６０との間の圧力勾配の１．１倍〜１．３倍の範囲であることで、膝付近における印加勾配を緩めることにより、膝に過度な負担をかけることなく、むくみを防止する靴下１００を実現できる。特に、被災して仮設の避難所に避難している高齢女性の膝に過度な負担をかけることなく、むくみを防止できる。
【００３２】
また、靴下１００の膝下部１５０と膝上部１６０との間の圧力勾配は最も小さい第１の圧力勾配であることで、膝下部１５０または膝上部１６０のいずれか一方に偏って圧力が印加されにくくし、膝に過度な負担をかけることなく、むくみを防止する靴下１００を実現できる。特に、被災して仮設の避難所に避難している高齢女性の膝に過度な負担をかけることなく、むくみを防止できる。
【００３３】
以上、本発明者によってなされた発明を実施の形態に基づき具体的に説明したが、本発明は前記実施の形態に限定されるものではなく、その要旨を逸脱しない範囲で種々変更可能であることはいうまでもない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３４】
１００…靴下、１１０…つま先部、１２０…足首部、１３０…脹脛下部、１４０…脹脛部、１５０…膝下部、１６０…膝上部、１７０…大腿部、１８０…足挿入部。
【図１】
2019127658.tif 000003
【図２】
2019127658.tif 000004
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
足首部から膝上部に向かって印加する圧力を緩和する靴下であって、
前記足首部において３０〜３５ｈＰａ、脹脛下部において２３〜２７ｈＰａ、脹脛部において１４〜１６ｈＰａ、膝下部において９〜１１ｈＰａ、前記膝上部において７〜９ｈＰａの圧力を印加するものであり、
前記足首部と前記脹脛部との間における圧力勾配は、前記脹脛部と前記膝下部との間における圧力勾配の１．２倍〜１．５倍の範囲である、靴下。
【請求項２】
請求項１に記載の靴下において、
大腿部において１０〜１２ｈＰａの圧力を印加する靴下。
【請求項３】
請求項１に記載の靴下において、
前記脹脛部と前記膝下部との間における圧力勾配は、前記膝下部と前記膝上部との間の圧力勾配の１．１倍〜１．３倍の範囲である、靴下。
【請求項４】
請求項１に記載の靴下において、
前記足首部と前記脹脛下部との間の圧力勾配、前記脹脛下部と前記脹脛部との間の圧力勾配、前記脹脛部と前記膝下部との間の圧力勾配、及び、前記膝下部と前記膝上部との間の圧力勾配のうち、前記膝下部と前記膝上部との間の圧力勾配が最も小さい第１の圧力勾配である、靴下。